(57)【要約】情報記録媒体を提供する。リードイン領域、ユーザデータ領域、リードアウト領域を含む情報記録媒体が開示される。リードイン領域及びリードアウト領域のうち少なくとも一つの領域に、情報記録媒体が既存の規格バージョンによるドライブで互換可能であるか否かについての情報が記録されている。したがって、前記構成により、記録性能が向上し、既存ドライブからバージョンアップされた新たなバージョンの情報記録媒体に／からデータを記録／再生できる。
2006517711.tif 000002
【特許請求の範囲】
【請求項１】
リードイン領域、ユーザデータ領域、リードアウト領域を含む記録可能な情報記録媒体であって、
前記リードイン領域及びリードアウト領域のうち少なくとも一つの領域に、前記情報記録媒体が既存の規格バージョンによるドライブで互換可能であるか否かについての互換性情報が記録されたことを特徴とする情報記録媒体。
【請求項２】
前記情報記録媒体が前記既存の規格バージョンによるドライブで作動可能であるとき、最適の記録パターンタイプについての情報が共に記録されることを特徴とする請求項１に記載の情報記録媒体。
【請求項３】
マルチパルスストラテジー情報及びシングルパルスストラテジー情報のうち何れかで記録されるかについてのストラテジー情報がさらに記録されることを特徴とする請求項１に記載の情報記録媒体。
【請求項４】
前記リードイン領域及びリードアウト領域のうち少なくとも一つが再生専用領域を含み、前記互換性情報が前記再生専用領域に記録されることを特徴とする請求項１に記載の情報記録媒体。
【請求項５】
前記再生専用領域は、ディスクコントロールのためのディスク関連情報が記録されるディスクコントロールデータゾーンであることを特徴とする請求項４に記載の情報記録媒体。
【請求項６】
前記互換性情報が和信号及び差動信号のうち何れか一つで再生されることを特徴とする請求項４に記載の情報記録媒体。
【請求項７】
前記リードイン領域及びリードアウト領域のうち少なくとも一つが記録可能な領域を含み、前記互換性情報が前記記録可能な領域に記録されることを特徴とする請求項１に記載の情報記録媒体。
【請求項８】
前記互換性情報は、和信号として再生されることを特徴とする請求項７に記載の情報記録媒体。
【請求項９】
最適の記録パターンについての情報は、前記互換性情報が記録されたバイトと同じバイト及び互換性情報が記録されたバイトと異なるバイトのうち一つに記録されることを特徴とする請求項２に記載の情報記録媒体。
【請求項１０】
前記最適の記録パターンについての情報と互換性情報とが同じバイトに記録されるとき、前記情報は、リードイン領域の特定バイトに記録されることを特徴とする請求項９に記載の情報記録媒体。
【請求項１１】
００００００００ｂが特定バイトに記録されるとき、前記情報記録媒体は、ｎバージョンの規格を使用し、ｎバージョンより既存の規格バージョンによるドライブで互換可能でなく、０００００００１ｂが特定バイトに記録されるとき、前記情報記録媒体は、ｎバージョンの規格を使用し、ｎバージョンより既存の規格バージョンによるドライブで互換可能であり、最適の記録パターンが第１記録パターンタイプであり、００００００１０ｂが特定バイトに記録されるとき、前記情報記録媒体は、ｎバージョンの規格を使用し、ｎより既存の規格バージョンによるドライブと互換可能であり、最適の記録パターンが第２記録パターンタイプであり、００００００１１ｂが特定バイトに記録されるとき、前記情報記録媒体は、ｎバージョンの規格を使用し、ｎより既存の規格バージョンによるドライブと互換可能であり、最適の記録パターンが第３記録パターンタイプであることを特徴とする請求項１に記載の情報記録媒体。
【請求項１２】
前記リードイン領域は、
ディスク関連情報を保存するディスクコントロールデータゾーンと、
情報記録媒体のテストに使われる情報を保存するディスクテストゾーンと、
ドライブのテストに使われる情報を保存するドライブテストゾーンと、
情報記録媒体上に発生した欠陥を除去するために使われる情報を保存する欠陥管理ゾーンと、
保留領域とを備えることを特徴とする請求項１に記載の情報記録媒体。
【請求項１３】
前記リードイン領域は、第１及び第２バッファゾーンを備えることを特徴とする請求項１２に記載の情報記録媒体。
【請求項１４】
前記リードイン領域は、再生専用領域及び記録可能領域に分けられることを特徴とする請求項１３に記載の情報記録媒体。
【請求項１５】
前記第１バッファゾーンとディスクコントロールデータゾーンとは、再生専用領域に含まれることを特徴とする請求項１４に記載の情報記録媒体。
【請求項１６】
前記ディスクテストゾーン、ドライブテストゾーン、欠陥管理領域、保留領域及び第２バッファゾーンは、前記記録可能領域に含まれることを特徴とする請求項１５に記載の情報記録媒体。
【請求項１７】
記録パターンについての情報は、記録速度、再生パワー、記録パターンの最初パルスタイム（Ｔｔｏｐ）、記録パターンのマルチパルスタイム（Ｔｍｐ）、記録パターンの冷却パルスタイム、記録パワー（Ｐｗ）、消去パワー（Ｐｅ）及びバイアスパワー（Ｐｂ）のうち少なくとも一つを含むことを特徴とする請求項１２に記載の情報記録媒体。
【請求項１８】
記録可能な情報記録媒体であって、
リードイン領域と、
ユーザデータ領域と、
リードアウト領域とを備え、
前記リードイン領域及びリードアウト領域のうち少なくとも一つの領域に、データがマルチパルス記録ストラテジー及びシングルパルス記録ストラテジーのうち何れかのパターンで記録されるかについての情報が記録されることを特徴とする情報記録媒体。
【請求項１９】
前記リードイン領域及びリードアウト領域のうち少なくとも一つが再生専用領域を備え、前記ストラテジー情報が再生専用領域に記録されることを特徴とする請求項１８に記載の情報記録媒体。
【請求項２０】
前記再生専用領域は、ディスクコントロールのためのディスク関連情報が記録されるディスクコントロールデータゾーンであることを特徴とする請求項１９に記載の情報記録媒体。
【請求項２１】
前記ストラテジー情報が和信号及び差動信号のうち一つで再生されることを特徴とする請求項１９に記載の情報記録媒体。
【請求項２２】
前記リードイン領域及びリードアウト領域のうち少なくとも一つが記録可能な領域を含み、前記ストラテジー情報が記録可能な領域に記録されることを特徴とする請求項１８に記載の情報記録媒体。
【請求項２３】
前記ストラテジー情報は、和信号として再生されることを特徴とする請求項２２に記載の情報記録媒体。
【請求項２４】
記録可能な情報記録媒体であって、
リードイン領域と、
ユーザデータ領域と、
リードアウト領域とを備え、
前記リードイン領域及びリードアウト領域のうち少なくとも一つの領域に最適の記録パターンについての情報が記録されたことを特徴とする情報記録媒体。
【請求項２５】
前記リードイン領域及びリードアウト領域のうち少なくとも一つが再生専用領域を含み、前記最適記録パターンについての情報が前記再生専用領域に記録されることを特徴とする請求項２４に記載の情報記録媒体。
【請求項２６】
前記再生専用領域は、前記リードイン領域にあるディスク関連情報が記録されるディスクコントロールデータゾーンであることを特徴とする請求項２５に記載の情報記録媒体。
【請求項２７】
前記最適記録パターンについての情報が和信号及び差動信号のうち一つで再生されることを特徴とする請求項２５に記載の情報記録媒体。
【請求項２８】
前記リードイン領域及びリードアウト領域のうち少なくとも一つが記録可能な領域を含み、前記最適の記録パターンについての情報が記録可能な領域に記録されることを特徴とする請求項２１に記載の情報記録媒体。
【請求項２９】
前記リードイン領域は、記録可能な保留領域を備え、前記保留領域に最適の記録パターンについての情報を記録することを特徴とする請求項２８に記載の情報記録媒体。
【請求項３０】
前記最適記録パターンについての情報は、和信号として再生されることを特徴とする請求項２８に記載の情報記録媒体。
【請求項３１】
前記最適の記録パターンについての情報は、ビット組合わせで記録されることを特徴とする請求項２４に記載の情報記録媒体。
【請求項３２】
前記最適の記録パターンについての情報と記録速度についての情報とが共に記録されることを特徴とする請求項２４に記載の情報記録媒体。
【請求項３３】
リードイン領域、ユーザデータ領域及びリードアウト領域を有する情報記録媒体に使用するための記録及び／または再生装置であって、
情報記録媒体についてのデータを伝送するための光ピックアップと、
前記情報記録媒体が第２バージョンより古い第１バージョンの規格を使用するドライブと互換可能であるかについての互換性情報とリードイン領域及びリードアウト領域のうち少なくともどこに記録されたかについて検出するように制御し、
前記記録及び／または再生装置のバージョンに対応する互換性情報から検出された第１及び第２バージョンのうち一つによる情報記録媒体についてのデータを伝送するために光ピックアップを制御するコントローラと、を備えることを特徴とする装置。
【請求項３４】
前記情報記録媒体が第１バージョンの規格によるドライブで作動可能に、前記情報記録媒体は、情報を記録するとき、ドライブによって使われる最適の記録パターンについての情報を保存することを特徴とする請求項３３に記載の装置。
【請求項３５】
マルチパルスストラテジー情報及びシングルパルスストラテジー情報のうち何れかで記録されるかについてのストラテジー情報がさらに記録されることを特徴とする請求項３３に記載の装置。
【請求項３６】
前記リードイン領域及びリードアウト領域のうち少なくとも一つが再生専用領域を含み、前記互換性情報が前記再生専用領域に記録されることを特徴とする請求項３３に記載の装置。
【請求項３７】
前記再生専用領域は、ディスクコントロールのためのディスク関連情報が記録されるディスクコントロールデータゾーンであることを特徴とする請求項３６に記載の装置。
【請求項３８】
前記コントローラは、和信号及び差動信号のうち何れか一つで互換性情報を再生することを特徴とする請求項３６に記載の装置。
【請求項３９】
前記リードイン領域及びリードアウト領域のうち少なくとも一つが記録可能な領域を含み、前記互換性情報が前記記録可能な領域に記録されることを特徴とする請求項３３に記載の装置。
【請求項４０】
前記コントローラは、互換性情報を和信号として再生することを特徴とする請求項３９に記載の装置。
【請求項４１】
最適の記録パターンについての情報は、前記互換性情報が記録されたバイトと同じバイト及び互換性情報が記録されたバイトと異なるバイトのうち何れか一つに記録されることを特徴とする請求項３４に記載の装置。
【請求項４２】
前記最適の記録パターンについての情報と互換性情報とが同じバイトに記録されるとき、前記情報は、リードイン領域の特定バイトに記録されることを特徴とする請求項４１に記載の装置。
【請求項４３】
００００００００ｂが特定バイトに記録されるとき、前記情報記録媒体は、ｎバージョンの規格を使用し、ｎバージョンより既存の規格バージョンによるドライブで互換可能でなく、０００００００１ｂが特定バイトに記録されるとき、前記情報記録媒体は、ｎバージョンの規格を使用し、ｎバージョンより既存の規格バージョンによるドライブで互換可能であり、最適の記録パターンが第１記録パターンタイプであり、００００００１０ｂが特定バイトに記録されるとき、前記情報記録媒体は、ｎバージョンの規格を使用し、ｎより既存の規格バージョンによるドライブと互換可能であり、最適の記録パターンが第２記録パターンタイプであり、００００００１１ｂが特定バイトに記録されるとき、前記情報記録媒体は、ｎバージョンの規格を使用し、ｎより既存の規格バージョンによるドライブと互換可能であり、最適の記録パターンが第３記録パターンタイプであることを特徴とする請求項３３に記載の装置。
【請求項４４】
前記リードイン領域は、
ディスク関連情報を保存するディスクコントロールデータゾーンと、
情報記録媒体のテストに使われる情報を保存するディスクテストゾーンと、
ドライブのテストに使われる情報を保存するドライブテストゾーンと、
情報記録媒体上に発生した欠陥を除去するために使われる情報を保存する欠陥管理ゾーンと、
保留領域とを備えることを特徴とする請求項３３に記載の装置。
【請求項４５】
前記リードイン領域は、第１及び第２バッファゾーンを備えることを特徴とする請求項４４に記載の装置。
【請求項４６】
前記リードイン領域は、再生専用領域及び記録可能領域に分けられることを特徴とする請求項４５に記載の装置。
【請求項４７】
前記第１バッファゾーンとディスクコントロールデータゾーンとは、再生専用領域に含まれることを特徴とする請求項４６に記載の装置。
【請求項４８】
前記ディスクテストゾーン、ドライブテストゾーン、欠陥管理領域、保留領域及び第２バッファゾーンは、前記記録可能領域に含まれることを特徴とする請求項４７に記載の装置。
【請求項４９】
記録パターンについての情報は、記録速度、再生パワー、記録パターンの最初パルスタイム（Ｔｔｏｐ）、記録パターンのマルチパルスタイム（Ｔｍｐ）、記録パターンの冷却パルスタイム、記録パワー（Ｐｗ）、消去パワー（Ｐｅ）及びバイアスパワー（Ｐｂ）のうち少なくとも一つを含むことを特徴とする請求項４４に記載の装置。
【請求項５０】
リードイン領域、ユーザデータ領域及びリードアウト領域を有する情報記録媒体に使用するための記録及び／または再生装置であって、
情報記録媒体についてのデータを伝送するための光ピックアップと、
前記情報記録媒体のリードイン領域及びリードアウト領域のうち少なくとも一つの領域に、データがマルチパルス記録ストラテジー及びシングルパルス記録ストラテジーのうち何れかのパターンで記録されるかについて記録されたストラテジー情報を検出し、前記検出されたストラテジー情報によって情報記録媒体についてデータを伝送するように光ピックアップを制御するコントローラとを備えることを特徴とする装置。
【請求項５１】
前記リードイン領域及びリードアウト領域のうち少なくとも一つが再生専用領域を含み、前記ストラテジー情報が再生専用領域に記録されることを特徴とする請求項５０に記載の装置。
【請求項５２】
前記再生専用領域は、ディスクコントロールのためのディスク関連情報が記録されるディスクコントロールデータゾーンであることを特徴とする請求項５１に記載の装置。
【請求項５３】
前記コントローラは、和信号及び差動信号のうち何れか一つで前記ストラテジー情報を再生することを特徴とする請求項５１に記載の装置。
【請求項５４】
前記リードイン領域及びリードアウト領域のうち少なくとも一つが記録可能な領域を含み、前記ストラテジー情報が記録可能な領域に記録されることを特徴とする請求項５０に記載の装置。
【請求項５５】
前記ストラテジー情報は、和信号として再生されることを特徴とする請求項５０に記載の装置。
【請求項５６】
リードイン領域、ユーザデータ領域及びリードアウト領域を有する情報記録媒体に使用するための記録及び／または再生装置であって、
情報記録媒体についてのデータを伝送するための光ピックアップと、
最適記録パターンについての情報を情報記録媒体のリードイン領域及びリードアウト領域のうち少なくとも一つに記録されたストラテジー情報を検出するように光ピックアップを制御し、前記検出されたストラテジー情報によって情報記録媒体についてのデータを伝送するように光ピックアップを制御するコントローラとを備えることを特徴とする装置。
【請求項５７】
リードイン領域、ユーザデータ領域及びリードアウト領域を有する情報記録媒体に対してデータを記録及び／または再生する方法であって、
前記情報記録媒体が情報記録媒体の第２バージョンより古い第１バージョンの規格を使用するドライブと互換可能であるかについてリードイン領域とリードアウト領域のうち少なくとも一つから互換性情報を検出する段階と、
データ伝送装置に対応する検出された互換性情報から第１及び第２バージョンのうち一つによってユーザデータ領域に対してデータを伝送する段階とを含むことを特徴とする方法。
【請求項５８】
前記情報記録媒体が第１バージョンの規格によるドライブで作動可能であるとき、前記情報記録媒体は、最適の記録パターンについての情報を保存することを特徴とする請求項５７に記載の方法。
【請求項５９】
前記情報記録媒体は、マルチパルスストラテジー情報及びシングルパルスストラテジー情報のうち何れかで記録されるかについてのストラテジー情報をさらに保存し、前記データを伝送する段階は、保存されたストラテジー情報によってデータを記録する段階をさらに含むことを特徴とする請求項５７に記載の方法。
【請求項６０】
前記リードイン領域及びリードアウト領域のうち少なくとも一つが再生専用領域を含み、前記互換性情報が前記再生専用領域に記録されることを特徴とする請求項５７に記載の方法。
【請求項６１】
前記再生専用領域は、ディスクコントロールのためのディスク関連情報が記録されるディスクコントロールデータゾーンであることを特徴とする請求項６０に記載の方法。
【請求項６２】
前記互換性情報を検出する段階は、前記コントローラが和信号及び差動信号のうち一つで互換性情報を再生する段階を含むことを特徴とする請求項６０に記載の方法。
【請求項６３】
前記リードイン領域及びリードアウト領域のうち少なくとも一つが記録可能な領域を含み、前記互換性情報が前記記録可能な領域に記録されることを特徴とする請求項５７に記載の方法。
【請求項６４】
互換性情報は、和信号として再生されることを特徴とする請求項６３に記載の方法。
【請求項６５】
最適の記録パターンについての情報は、前記互換性情報が記録されたバイトと同じバイト及び互換性情報が記録されたバイトと異なるバイトのうち何れか一つに記録されることを特徴とする請求項５８に記載の方法。
【請求項６６】
前記最適の記録パターンについての情報と互換性情報とが同じバイトに記録されるとき、前記情報は、リードイン領域の特定バイトに記録されることを特徴とする請求項６５に記載の方法。
【請求項６７】
００００００００ｂが特定バイトに記録されるとき、前記情報記録媒体は、ｎバージョンの規格を使用し、ｎバージョンより既存の規格バージョンによるドライブで互換可能でなく、
０００００００１ｂが特定バイトに記録されるとき、前記情報記録媒体は、ｎバージョンの規格を使用し、ｎバージョンより既存の規格バージョンによるドライブで互換可能であり、最適の記録パターンが第１記録パターンタイプであり、
００００００１０ｂが特定バイトに記録されるとき、前記情報記録媒体は、ｎバージョンの規格を使用し、ｎより既存の規格バージョンによるドライブと互換可能であり、最適の記録パターンが第２記録パターンタイプであり、
００００００１１ｂが特定バイトに記録されるとき、前記情報記録媒体は、ｎバージョンの規格を使用し、ｎより既存の規格バージョンによるドライブと互換可能であり、最適の記録パターンが第３記録パターンタイプであることを特徴とする請求項５７に記載の方法。
【請求項６８】
前記リードイン領域は、
ディスク関連情報を保存するディスクコントロールデータゾーンと、
情報記録媒体のテストに使われる情報を保存するディスクテストゾーンと、
ドライブのテストに使われる情報を保存するドライブテストゾーンと、
情報記録媒体上に発生した欠陥を除去するために使われる情報を保存する欠陥管理ゾーンと、
保留領域とを含むことを特徴とする請求項５７に記載の方法。
【請求項６９】
前記リードイン領域は、第１及び第２バッファゾーンを含むことを特徴とする請求項６８に記載の方法。
【請求項７０】
前記リードイン領域は、再生専用領域及び記録可能領域に分けられることを特徴とする請求項６９に記載の方法。
【請求項７１】
前記第１バッファゾーンとディスクコントロールデータゾーンとは、再生専用領域に含まれることを特徴とする請求項７０に記載の方法。
【請求項７２】
前記ディスクテストゾーン、ドライブテストゾーン、欠陥管理領域、保留領域及び第２バッファゾーンは、前記記録可能領域に含まれることを特徴とする請求項７１に記載の方法。
【請求項７３】
記録パターンについての情報は、記録速度、再生パワー、記録パターンの最初パルスタイム（Ｔｔｏｐ）、記録パターンのマルチパルスタイム（Ｔｍｐ）、記録パターンの冷却パルスタイム、記録パワー（Ｐｗ）、消去パワー（Ｐｅ）及びバイアスパワー（Ｐｂ）のうち少なくとも一つを含むことを特徴とする請求項６８に記載の方法。
【請求項７４】
リードイン領域、ユーザデータ領域及びリードアウト領域を有する情報記録媒体に対してデータを記録及び／または再生する方法であって、
マルチパルス記録ストラテジーとシングルパルス記録ストラテジーのうち何れのものがデータの記録に使われるかについて、リードイン領域及びリードアウト領域のうち少なくとも一つからストラテジー情報を検出する段階と、
前記検出されたストラテジー情報によってユーザデータ領域に対してデータを伝送する段階とを含むことを特徴とする方法。
【請求項７５】
リードイン領域、ユーザデータ領域及びリードアウト領域を有する情報記録媒体に対してデータを記録及び／または再生する方法であって、
最適の記録パターンに対してリードイン領域及びリードアウト領域のうち少なくとも一つから情報を検出する段階と、
前記検出された情報によってユーザデータ領域に対してデータを伝送する段階とを含むことを特徴とする方法。
【請求項７６】
情報記録媒体に情報を記録する方法であって、
リードイン領域を形成する段階と、
ユーザデータ領域を形成する段階と、
リードアウト領域を形成する段階と、
前記リードイン領域及びリードアウト領域のうち少なくとも一つに、前記情報記録媒体が前記情報記録媒体より古い規格バージョンによるドライブと互換可能であるかについての互換性情報、マルチパルス記録ストラテジー及びシングルパルス記録ストラテジーのうち何れのものがデータの記録に使われるかについての情報及び最適の記録パターンについての情報のうち少なくとも一つを記録する段階とを含むことを特徴とする方法。
【請求項７７】
記録可能な情報記録媒体についてのデータ記録速度を向上させる方法であって、
リードイン領域を形成する段階と、
ユーザデータ領域を形成する段階と、
リードアウト領域を形成する段階と、
前記リードイン領域及びリードアウト領域のうち少なくとも一つに、ユーザデータ領域にデータを記録するための最適の記録パターンについての情報を記録する段階とを含むことを特徴とする方法。
【請求項７８】
記録可能な情報記録媒体に対して記録性能を向上させる方法であって、
リードイン領域を形成する段階と、
ユーザデータ領域を形成する段階と、
リードアウト領域を形成する段階と、
前記リードイン領域及びリードアウト領域のうち少なくとも一つに記録された最適の記録パターンによってユーザデータ領域にデータを記録する段階とを含むことを特徴とする方法。
【発明の詳細な説明】
【技術分野】
【０００１】
本発明は、情報記録媒体、情報記録媒体を使用するための装置、及び情報記録媒体に情報を記録及び／または再生する方法に係り、さらに詳細には、最適の記録パターンについての情報または既存の規格バージョンでの互換可能性についての情報が記録された情報記録媒体、最適の記録パターンまたは既存の規格バージョンによるドライブと互換可能であるかについての情報を記録した情報記録媒体に対して情報を記録及び／または再生する装置及び方法に関する。
【背景技術】
【０００２】
一般的に、情報記録媒体は、非接触式で情報を記録／再生する光ピックアップ装置の情報記録媒体として広く採用され、情報記録媒体の一例である光ディスクは、情報記録容量によってコンパクトディスク（ＣＤ）、デジタル多機能ディスク（ＤＶＤ）に区分される。そして、記録、消去及び再生が可能な光ディスクとしては、６５０ＭＢ  ＣＤ−Ｒ、ＣＤ−ＲＷ、４.７ＧＢ  ＤＶＤ／ＲＷがある。さらに、記録容量が２０ＧＢ以上であるＨＤ−ＤＶＤも開発されつつある。
【０００３】
このように、記録容量が増加しつつ、記録速度に対する開発も共に行われている。しかし、記録速度が高倍速化するにつれて記録パターンが変化されている。
【０００４】
図１Ａは、ＣＤ−ＲＷ、ＤＶＤ−ＲＡＭ／Ｒ／ＲＷで多く使われている記録パルスパターンを示している。この記録パルスパターンは、マークが形成される部分のパルスパターンがマルチパルス記録ストラテジーからなる。マルチパルス記録ストラテジーは、マークの形成時に熱の蓄積によるマークの劣化を防止するために多く使われる。しかし、記録速度の向上によって単位時間当り与えられるエネルギーが減少するため、マルチパルス記録ストラテジーによるデータの記録時にエラーが発生する。
【０００５】
しかし、マルチパルス記録ストラテジーの代わりに、図１Ｂに示したように、ノンマルチパルス記録ストラテジーパターン、すなわち、単一パルス記録ストラテジーを使用するか、またはバイアスパワーをアップさせてエネルギー減少を補償することもある。
【０００６】
このように、記録速度によって情報記録媒体ごとに適当な記録パターン、すなわち、記録ストラテジーがある。しかし、従来の情報記録媒体は、図２に示したように、リードイン領域１００、ユーザデータ領域１０５及びリードアウト領域１１０を含み、リードイン領域１００のディスクコントロールデータゾーン１００−２にデータ記録パターンについての情報が記録されている。
【０００７】
リードイン領域１００は、第１バッファゾーン１００−１、ディスクコントロール関連情報が記録されたディスクコントロールデートゾーン１００−２、ディスクテストゾーン１００−３、ドライブテストゾーン１００−４、欠陥管理ゾーン１００−５、保留ゾーン１００−６及び第２バッファゾーン１００−７を備える。前記ディスクコントロールデータゾーン１００−２には、ディスク種類、バージョンナンバー、ディスクサイズ、記録層についての情報が記録される。そして、記録パターンについての情報が記録される。
【０００８】
例えば、第１ないし第３記録パターンタイプについての情報が記録されうる。第１記録パターンタイプは、第１マルチ記録パターン、第２記録パターンは、第２マルチ記録パターン、第３記録パターンは、単一パターンを表すことができる。図１Ａ及び図１Ｂで、記録パターンのパラメータとして使われるＴｔｏｐ、Ｔｍｐ、Ｔｃｌは、それぞれ記録パターンの初期パルスタイム、マルチパルスタイム、冷却パルスタイムを表す。そして、Ｐｗ、Ｐｅ、Ｐｂは、それぞれ記録パワー、消去パワー、バイアスパワーをそれぞれ表し、Ｔは、記録マークの最小長さを表し、３Ｔ、７Ｔは、マークまたはスペースの長さを表す。
【０００９】
例えば、第１記録パターンタイプについての情報として、第５バイトから第９バイトまで第１記録速度、第１再生パワー、Ｔｔｏｐ１、Ｔｍｐ１、Ｔｃｌ１が記録され、第１０バイトは、保留される。次いで、第２記録パターンタイプについての情報として、第１１バイトから第１５バイトまで第２記録速度、第２再生パワー、Ｔｔｏｐ２、Ｔｍｐ２、Ｔｃｌ２が記録され、第１６バイトは、保留される。また、第３記録パターンタイプについての情報として、第１７バイトから第２１バイトまで第３記録速度、第３再生パワー、Ｔｔｏｐ３、Ｔｍｐ３、Ｔｃｌ３が記録され、第２２バイトは、保留される。
【００１０】
このように、従来の情報記録媒体では、記録パターンについての情報がタイプ別に記録されている。このように、色々な記録パターンについての情報が記録されている場合、ドライブによって情報記録媒体にデータを記録するとき、ドライブは、記録パターンについての情報を何れも読出し、これらのうちドライブに適した記録パターンを選択してデータを記録する。言い換えれば、記録媒体がドライブに装着された後、前記第１ないし第３記録パターンタイプのうち最適の記録パターンを探すために、全てのタイプの記録パターンをテストせねばならない。したがって、ドライブを設計するとき、記録パターンのテスト機能が追加されねばならないので、ドライブ設計条件が複雑になり、データの記録時間が延長されるという短所がある。
【００１１】
一方、従来の情報記録媒体では、記録速度についての情報がディスクコントロールデータゾーン１００−２に記録されており、この記録速度に関する規格が定められているバージョンについての情報が共に記録されている。このようなディスクにデータを記録／再生するためにドライブにディスクを装着すれば、ドライブでは、装着されたディスクについての情報のうちバージョンについての情報を先に読出す。そして、このバージョンがドライブのバージョンと同じである場合、ドライブによってデータの記録／再生がなされる。
【００１２】
しかし、将来に記録媒体の規格についてのバージョンが変わるとき、このバージョンに対応するドライブが開発されるであろう。このとき、既存の規格によるドライブを利用して、バージョンアップされた規格による記録媒体にデータを記録／再生できない。言い換えれば、ドライブに記録媒体を装着すれば、ドライブでは、記録媒体に記録されたバージョン情報を読出し、このバージョンがドライブに対応するバージョンであるとき、記録媒体にデータを記録／再生できる。しかし、他のバージョンの規格による記録媒体には、他のバージョンについての情報が入っているため、既存バージョンの規格によるドライブで既存の規格と異なる規格による記録媒体を認識できない。
【００１３】
したがって、既存バージョンの規格によるドライブで既存バージョンと異なるバージョンの規格による記録媒体にデータを記録／再生できるか否かに関係なく、既存バージョンと異なるバージョンの記録媒体にデータを記録／再生できないと認識する。
【００１４】
このように、今後開発される他の規格の記録媒体に既存バージョンのための情報が存在しなければ、既存規格によるドライブで将来バージョンの記録媒体にデータを記録／再生できる場合にも、将来バージョンの記録媒体を使用できない。したがって、ユーザは、規格に関するバージョンが変わる度に、ドライブを新たに設けねばならない不便さがあり、これは、経済的にも非常に浪費であるという問題点がある。
【発明の開示】
【発明が解決しようとする課題】
【００１５】
本発明は、前記問題点を解決するために案出されたものであって、最適の記録パターンについての情報、記録速度についての情報または既存バージョンの規格によるドライブについての情報が記録され、速かにデータ記録が行われ、記録性能が向上した情報記録媒体を提供することを目的とする。
【課題を解決するための手段】
【００１６】
前記目的を達成するために、本発明は、リードイン領域、ユーザデータ領域、リードアウト領域を備え、前記リードイン領域及びリードアウト領域のうち少なくとも一つの領域に、既存の規格バージョンによるドライブで互換可能であるか否かについての互換性情報が記録された記録可能な情報記録媒体を提供する。
【００１７】
前記情報記録媒体が前記既存の規格バージョンによるドライブで作動可能であるとき、最適の記録パターンタイプについての情報が共に記録されうる。
【００１８】
前記互換性情報が前記リードイン領域及びリードアウト領域のうち少なくとも一つの領域の再生専用領域または記録可能な領域に記録されうる。
【００１９】
前記互換性情報が再生専用領域に記録された場合、前記情報が和信号または差動信号で再生されうる。前記互換性情報がリードイン領域及びリードアウト領域のうち少なくとも一つの記録可能な領域に記録された場合には、互換性情報は、和信号として再生されうる。
【００２０】
前記目的を達成するために、本発明は、リードイン領域、ユーザデータ領域、リードアウト領域を含む記録可能な情報記録媒体であって、前記リードイン領域及びリードアウト領域のうち少なくとも一つの領域に、マルチパルス記録ストラテジー及びシングルパルス記録ストラテジーのうち何れのものが使われるかについての情報が記録される記録可能な情報記録媒体を提供する。
【００２１】
前記目的を達成するために本発明は、ユーザデータ領域及びリードアウト領域を含む記録可能な情報記録媒体であって、前記リードイン領域及びリードアウト領域のうち少なくとも一つの領域に最適の記録パターンについての情報が記録された記録可能な情報記録媒体を提供する。
【００２２】
前記最適の記録パターンについての情報は、前記リードイン領域及びリードアウト領域のうち少なくとも一つの領域の再生専用領域に記録されうる。
【００２３】
前記再生専用領域は、ディスク関連情報を記録するためにリードイン領域に含まれたディスクコントロールデータゾーンでありうる。
【００２４】
本発明の他の面によれば、リードイン領域、ユーザデータ領域及びリードアウト領域を有する情報記録媒体に使用するための記録及び／または再生装置であって、情報記録媒体についてのデータを伝送するための光ピックアップと、前記情報記録媒体が第２バージョンより古い第１バージョンの規格を使用するドライブと互換可能であるかについての互換性情報とリードイン領域及びリードアウト領域のうち少なくともどこに記録されたかについて検出するように制御し、前記記録及び／または再生装置のバージョンに対応する互換性情報から検出された第１及び第２バージョンのうち一つによる情報記録媒体についてのデータを伝送するために光ピックアップを制御するコントローラとを備える装置を提供する。
【００２５】
本発明の他の面によれば、リードイン領域、ユーザデータ領域及びリードアウト領域を有する情報記録媒体に対してデータを記録及び／または再生する方法であって、前記情報記録媒体が情報記録媒体の第２バージョンより古い第１バージョンの規格を使用するドライブと互換可能であるかに対して、リードイン領域及びリードアウト領域のうち少なくとも一つから互換性情報を検出する段階と、データを伝送する装置に対応する検出された互換性情報から第１及び第２バージョンのうち一つによってユーザデータ領域に対してデータを伝送する段階とを含む方法を提供する。
【００２６】
本発明のさらに他の面によれば、記録可能な情報記録媒体についてのデータ記録速度を向上させる方法であって、リードイン領域を形成する段階と、ユーザデータ領域を形成する段階と、リードアウト領域を形成する段階と、前記リードイン領域及びリードアウト領域のうち少なくとも一つに、ユーザデータ領域にデータを記録するための最適の記録パターンについての情報を記録する段階と、を含む方法を提供する。
【００２７】
本発明のさらに他の面によれば、記録可能な情報記録媒体に対して記録性能を向上させる方法であって、リードイン領域を形成する段階と、ユーザデータ領域を形成する段階と、リードアウト領域を形成する段階と、前記リードイン領域及びリードアウト領域のうち少なくとも一つに記録された最適の記録パターンによってユーザデータ領域にデータを記録する段階とを含む方法を提供する。
【００２８】
本発明の付加的な及び／または他の側面及び利点が後述する説明で一部記述され、一部は、その説明から明らかになり、または本発明の実施によって習得されるであろう。
【発明を実施するための最良の形態】
【００２９】
本発明の実施形態は、添付された図面に示した例を参照して詳細に説明され、同じ参照番号は、同じ要素を表す。本発明を説明するために、実施形態が図面を参照して後述される。
【００３０】
本発明による情報記録媒体は、図３を参照するに、記録媒体についての情報が記録されたリードイン領域１０、ユーザデータが記録されるユーザデータ領域２０、リードアウト領域３０を含む。
【００３１】
リードイン領域１０にはディスク関連情報が記録されたディスクコントロールデータゾーン１０−２、ディスクテストのための情報が記録されたディスクテストゾーン１０−３、ドライブテストのための情報が記録されたドライブテストゾーン１０−４、ディスクに欠陥が発生するとき、欠陥を処理できる情報が記録された欠陥管理ゾーン１０−５及び保留領域１０−６が備えられる。これ以外に、第１及び第２バッファゾーン１０−１，１０−７がそれぞれさらに備えられうる。ここで、リードイン領域１０は、再生専用領域と記録可能な領域とに分けられる。例えば、第１バッファゾーン１０−１、ディスクコントロールデータゾーン１０−２は、ディスク製造時にデータがピット状に記録されて再生のみ可能な再生専用領域である。そして、ディスクテストゾーン１０−３、ドライブテストゾーン１０−４、欠陥管理ゾーン１０−５、保留ゾーン１０−６及び第２バッファゾーン１０−７は、記録が可能な領域である。
【００３２】
ディスクコントロールデータゾーン１０−２には、ディスク種類及びバージョンナンバー、ディスクサイズまたは記録パターンについての情報が記録されうる。ここで、記録パターンについての情報としては、例えば、第１タイプ記録パターンについての情報、第２タイプ記録パターンについての情報及び第３タイプ記録パターンについての情報が記録されうる。第１タイプ記録パターンについての情報が第５バイトから第９バイトまで記録され、第２タイプ記録パターンについての情報が第１１バイトから第１５バイトまで記録され、第３タイプ記録パターンについての情報が第１７バイトから第２１バイトまで記録されうる。記録パターンについての情報は、記録速度、再生パワー、記録パターンの初期パルスタイムＴｔｏｐ、マルチパルスタイムＴｍｐ、冷却パルスタイムＴｃｌ、記録パワーＰｗ、消去パワーＰｅ、バイアスパワーＰｂとなりうる。
【００３３】
本発明の第１実施形態による情報記録媒体は、図３に示したように、最適の記録パターンについての情報がリードイン領域１０に記録される。最適の記録パターンについての情報は、リードイン領域１０のうち再生専用領域または記録可能な領域に記録されうる。
【００３４】
最適の記録パターンについての情報が再生専用領域に記録される場合、例えば、リードイン領域１０のうちディスクコントロールデータゾーン１０−２に記録されうる。ディスクについての規定を考慮するとき、最適の記録パターンを決定してディスク製造時に最適の記録パターン情報をピット状に記録する。ディスクコントロールデータゾーン１０−２にある特定バイト、例えば、第３バイトに最適の記録パターンについての情報が記録される。例えば、第３バイトの第０ないし第７ビットを利用して、最適の記録パターンについての情報が記録されうる。
【００３５】
例えば、最適の記録パターンが第１タイプである場合には、００００００００ｂに記録し、第２タイプである場合には、０００００００１ｂに記録し、第３タイプである場合には、００００００１０ｂに記録する。
【００３６】
最適の記録パターンが第１タイプで記録された場合に、ドライブでこの情報を読出した後、第１タイプの記録パターンについての情報を読出す。すなわち、ドライブは、第１タイプの記録パターンについての情報が記録された第５バイトから第９バイトまでの情報を読出し、この情報による条件をセッティングしてデータの記録を行う。
【００３７】
一方、最適の記録パターンについての情報が、図４に示したように、リードイン領域１０の記録可能な領域に記録される。例えば、記録可能な領域にある保留領域１０−６に最適の記録パターンについての情報が記録される。この場合には、ディスクを製造した後、ディスクテストによって最適の記録パターンを探し出し、この最適の記録パターンを保留領域１０−６に記録する。最適の記録パターンについての情報が保留領域１０−６にある特定バイトのビット組合わせで記録される。例えば、最適の記録パターンが第１タイプである場合には、００００００００ｂに記録し、第２タイプである場合には、０００００００１ｂに記録し、第３タイプである場合には、００００００１０ｂに記録する。
【００３８】
保留領域１０−６に最適の記録パターンが第２タイプであると記録されているとき、ドライブでは、この情報を読出し、ディスクコントロールデータゾーン１０−２に記録された記録パターンについての情報のうち、第２タイプの記録パターンについての情報を読出す。すなわち、図３を参照するに、ドライブは、第２タイプの記録パターンについての情報が記録された第１０バイトから第１４バイトまでの情報を読出し、この情報による条件をセッティングしてデータの記録を行う。ディスクコントロールデータゾーン１０−２に記録された情報は、最適の記録パターンについての情報を除いて、図３に示した場合と同じであるので、図４では省略した。
【００３９】
さらに、前記最適の記録パターンについての情報をリードイン領域１０とリードアウト領域３０とに同一に記録することによって、リードイン領域１０とリードアウト領域３０のうち一つの領域に記録された情報に欠陥が発生したとき、欠陥のない領域にある情報を利用可能にする。
【００４０】
一方、前記例では、最適の記録パターンについての情報のみを記録した場合を説明したが、これ以外に、最適の記録パターンと共に倍速でついての情報も記録されうる。例えば、ディスクコントロールデータ領域１０−２にある特定バイトまたは保留領域１０−６にあるバイトに最適の記録パターン及び倍速でついての情報が記録されうる。
【００４１】
最適の記録パターンと倍速でついての情報とが共に記録された例を表で表すと、次の通りである。
【００４２】
【表１】
2006517711.tif 000003
前記のように、倍速と共に最適の記録パターンタイプについての情報が記録されれば、ドライブで記録媒体にデータを記録するとき、記録パターンと記録速度とが同時に決定されるので、記録性能がさらに向上しうる。
【００４３】
一方、前記最適の記録パターンタイプについての情報が再生専用領域に記録された場合には、和信号または差動信号として再生されうる。または、前記最適の記録パターンタイプについての情報が記録可能な領域に記録された場合には、和信号として再生されうる。
【００４４】
次いで、本発明の第２実施形態による情報記録媒体について説明する。
【００４５】
本発明の第２実施形態による情報記録媒体は、図５を参照するに、リードイン領域１０、ユーザデータ領域２０及びリードアウト領域３０を含み、記録媒体の規格バージョンが変わったとき、既存の規格バージョンによるドライブで記録媒体が作動可能であるか否かについての情報が記録されている。
【００４６】
情報記録媒体は、規格によって記録条件が統一的に規定されている。規格が変わる度に規格バージョンが変わるが、一般的に、規格バージョンが変われば、記録条件が変わるため、変わった規格バージョンによる情報記録媒体は、既存バージョンによるドライブでは作動されない。また、既存の規格バージョンによる記録媒体は、既存バージョンと異なるバージョンによるドライブでは作動されないということが一般的である。しかし、例外的に、既存の規格バージョンによるドライブで既存バージョンと異なるバージョンによる記録媒体が作動されることもある。
【００４７】
例えば、３倍速で作動される情報記録媒体が３倍速で作動されるドライブで作動されることもあり、４倍速で作動される情報記録媒体が３倍速で作動されるドライブで作動されることもある。一方、５倍速で作動されるドライブで２倍速または３倍速で作動される情報記録媒体が作動されることもある。
【００４８】
ここで、ｎ（５≦ｎ≦８）倍速で作動される記録媒体が２倍速及び３倍速で作動されるドライブで作動可能であれば、バージョンが変わらない。一方、ｎ（５≦ｎ≦８）倍速で作動されるドライブで、最も低い速度の２倍速である記録媒体が作動されないとき、規格バージョンが変わる。言い換えれば、記録媒体の記録速度が向上するとき、この記録媒体が最低記録速度でも既存のドライブで作動されないときに規格バージョンが変わる。
【００４９】
しかし、このように規格バージョンが変わるとき、新たな規格による記録媒体が既存規格によるドライブで作動される場合がありうる。このような場合に、新たな規格による記録媒体に既存規格によるドライブについての情報がなければ、既存規格によるドライブで新たな規格による記録媒体が作動可能であるにも拘わらず、無条件データの記録が不可能になる。したがって、新たな規格による記録媒体に、記録媒体が既存規格によるドライブで作動可能であるか否かについての情報が記録されることが望ましい。
【００５０】
この情報は、リードイン領域１０及びリードアウト領域３０のうち少なくとも一つの領域の再生専用領域または記録可能な領域に記録される。そして、この情報は、前記再生専用領域または記録可能な領域にある特定バイトのビット組合わせで記録されうる。リードイン領域１０とリードアウト領域３０とは、データ構造が類似しているので、ここでは、リードイン領域１０についてのみ説明する。後述する説明は、リードアウト領域３０にも同一に適用されうる。
【００５１】
リードイン領域１０の再生専用領域は、図５を参照するに、例えば、ディスク関連情報が記録されるディスクコントロールデータゾーン１０−２となりうる。そして、記録可能な領域は、ドライブテストゾーン１０−３、ディスクテストゾーン１０−４、欠陥管理ゾーン１０−５及び保留ゾーン１０−６のうち何れか一つの領域となりうる。例えば、図６に示したように、保留ゾーン１０−６に既存バージョンの規格によるドライブでの作動可能性についての情報が記録されうる。ここで、前記再生専用領域には、情報がピット状に記録され、このように記録された情報は、和信号または差動信号で再生されうる。また、記録可能な領域に情報が記録される場合には、情報は、和信号として再生されうる。
【００５２】
さらに、既存バージョンの規格によるドライブでの作動可能性についての情報をリードイン領域１０とリードアウト領域３０とに同一に記録することによって、リードイン領域１０とリードアウト領域３０のうち一つの領域に記録された情報に欠陥が発生したとき、欠陥のない領域にある情報を利用可能にする。
【００５３】
前記のように、ｎバージョンの規格による記録媒体がｎバージョンと異なるバージョンの規格によるドライブで作動可能であるか、または作動不可能であるかについての情報が記録されれば、ｎバージョンより低いバージョンの規格によるドライブでこの情報を読出し、記録媒体を選択できる。
【００５４】
さらに、ｎバージョンの規格による記録媒体がｎバージョンと異なるバージョン、例えば、ｘバージョンによるドライブで作動可能であるという情報が記録されるとき、最適の記録パターンについての情報も共に記録されることが望ましい。最適の記録パターンについての情報は作動可能であるという情報が記録されたバイトと異なるバイトに記録されるか、または同じバイトに記録されうる。作動可能性についての情報と最適の記録パターンについての情報とが同じバイトに記録される場合に、次のように記録されうる。
【００５５】
前記情報は、リードイン領域１０の再生専用領域または記録可能な領域の特定バイトにあるビットの組合わせで記録されうる。例えば、００００００００ｂは、ｎバージョンの記録媒体がｘバージョンの規格に規定された記録条件によらない場合であり、０００００００１ｂは、ｎバージョンの記録媒体がｘバージョンの規格に規定された記録条件により、最適の記録パターンタイプが第１タイプという情報を表す。また、００００００１０ｂは、記録媒体がｘバージョンの規格に規定された記録条件に従い、最適の記録パターンタイプが第２タイプということを表し、００００００１１ｂは、記録媒体がｘバージョンの規格に規定された記録条件に従い、最適の記録パターンタイプが第３タイプということを表す。
【００５６】
一方、記録パターンのうち、特に、マルチパルス記録ストラテジーで有効に記録可能であるか否かについての情報が記録されうる。マルチパルス記録ストラテジーは、記録速度が大きく向上する場合に使われ得ない可能性がある。すなわち、記録速度が向上するほど記録媒体がマルチパルス記録ストラテジーよりはノンマルチ記録ストラテジー、すなわち、単一記録ストラテジーで記録可能になる可能性が高まる。したがって、記録速度が向上してバージョンが変わるとき、マルチパルス記録ストラテジーによって記録が可能であるか否かについての情報が記録されることが望ましい。
【００５７】
マルチパルス記録ストラテジーで記録可能であるか否かについての情報は、リードイン領域１０及びリードアウト領域３０のうち少なくとも一つの領域の記録可能な領域または再生専用領域に記録されうる。記録可能な領域または再生専用領域は、前述した通りである。例えば、００００００００ｂは、マルチパルス記録ストラテジーで記録不可能であることを表し、０００００００１ｂは、マルチパルス記録ストラテジーで記録可能であることを表す。または、００００００００ｂは、マルチパルス記録ストラテジーで記録可能であることを表し、０００００００１ｂは、ノンマルチパルス記録ストラテジーで記録可能であることを表すことができる。
【００５８】
前記マルチパルス記録ストラテジーでの記録可能性についての情報は、既存バージョンの規格によるドライブでの作動可能性、すなわち、記録可能性についての情報なしに単独で記録されうる。または、前記マルチパルス記録ストラテジーでの記録可能性についての情報は、既存バージョンの規格によるドライブでの作動可能性についての情報と共に記録されうる。
【００５９】
一方、前記既存バージョンの規格によるドライブでの作動可能性についての情報とマルチパルス記録ストラテジーでの記録可能性についての情報とがリードイン領域１０の再生専用領域に記録された場合には、和信号または差動信号として再生されうる。一方、前記既存バージョンの規格によるドライブでの作動可能性についての情報とマルチパルス記録ストラテジーでの記録可能性についての情報とが記録可能な領域に記録された場合には、和信号として再生されうる。
【００６０】
前記本発明による情報記録媒体は、２層以上の記録層を有する多層情報記録媒体にも適用されうる。
【００６１】
図７は、本発明の実施形態による記録及び／または再生装置のブロックダイヤグラムである。図７を参照するに、記録及び／または再生装置は、記録／再生ユニット１００１、コントローラ１００２及びメモリ１００３を含む。記録／再生ユニット１００１は、本発明の情報記録媒体１０００の一実施形態である、ディスク１０００に／からデータを記録／再生する。コントローラ１００２は、図３ないし図６と関連して前述したように、本発明によるディスク関連データを記録及び再生する。
【００６２】
全ての面で要求されることではないが、コントローラ１００２は、コンピュータで再生可能な媒体にエンコーディングされたコンピュータプログラムを利用した方法を実現するコンピュータでありうる。前記コンピュータは、ファームウェアを有するチップとして実現されるか、または前記方法を実現するようにプログラム化されうる一般的なまたは特殊目的のコンピュータでありうる。
【００６３】
また、数十ＧＢの記録容量を達成するために、記録／再生ユニット１００１は、ディスク１０００に数十ＧＢのデータを記録できるように、低波長、高開口数タイプのユニットを含みうる。かかるユニットの例として、ここに限定されるものではないが、４０５ｎｍ波長の光を使用して０.８５の開口数を有するユニット、ブルーレイディスクと互換可能であり、かつ／またはＡＯＤ（アドバンストオプティカルディスク）と互換可能なユニットでありうる。
【００６４】
本発明の幾つかの実施形態が図示され、かつ説明されたが、本発明は、記述された実施形態に限定されない。その代りに、当業者ならば、本発明の原則と思想、特許請求の範囲によって限定される範囲及びその均等範囲から離脱せず、これから多様な変形が可能である。
【産業上の利用可能性】
【００６５】
本発明による情報記録媒体は、最適の記録パターンについての情報が記録されてデータの記録速度が向上し、最適の記録パターンでデータを記録するので、記録性能が向上しうる。
【００６６】
また、既存バージョンの規格によるドライブで互換可能であるか否かについての情報が記録され、規格バージョンが変わってもドライブを使用できてユーザの便宜を図りうる。
【図面の簡単な説明】
【００６７】
【図１Ａ】マルチパルスタイプの記録パターンを示す図である。
【図１Ｂ】ノンマルチパルスタイプの記録パターンを示す図である。
【図２】従来の情報記録媒体のデータ領域別構造を示す図である。
【図３】本発明の第１実施形態による情報記録媒体のデータ領域別構造の例を示す図である。
【図４】本発明の第１実施形態による情報記録媒体のデータ領域別構造の例を示す図である。
【図５】本発明の第２実施形態による情報記録媒体のデータ領域別構造の例を示す図である。
【図６】本発明の第２実施形態による情報記録媒体のデータ領域別構造の例を示す図である。
【図７】本発明の実施形態による記録装置のブロックダイヤグラムである。
【図１Ａ】
2006517711.tif 000004
【図１Ｂ】
2006517711.tif 000005
【図２】
2006517711.tif 000006
【図３】
2006517711.tif 000007
【図４】
2006517711.tif 000008
【図５】
2006517711.tif 000009
【図６】
2006517711.tif 000010
【図７】
2006517711.tif 000011
【国際調査報告】
2006517711.tif 000012
2006517711.tif 000013